(57)【要約】【課題】  コネクタ機器間の接続手順のガイダンスを行うとともに、コネクタ機器間の接続がされた際に、接続の正誤を判定する。【解決手段】  本発明に係るコネクタ機器において、コネクタ１１１〜１１ｎは、他のコネクタ機器と接続する。接続検出部１２１〜１２ｎは、コネクタ１１１〜１１ｎと一対一で接続する。また、接続検出部１２１〜１２ｎは、コネクタ１１１〜１１ｎが他のコネクタ機器と接続したか否かを検出するとともに、信号処理部１５０とコネクタ１１ｉとの接続の切り替えを行う。信号処理部１５０は、コネクタ１１１〜１１ｎを介して入出力される電気信号の処理を行う。接続ガイダンス部１３０は、コネクタ１１１〜１１ｎの接続状態を管理するコネクタ管理テーブルを保持するとともに、コネクタ機器１０の接続ガイダンスの制御を行う。出力部１４０は、ガイダンスの内容を表示する。【選択図】  図１
2006178889.tif 000002
【特許請求の範囲】
【請求項１】
複数の電気機器間の信号接続を中継するコネクタを有するコネクタ機器であって、
接続ケーブルを介して他の電気機器に接続する少なくとも一つのコネクタと、
前記少なくとも一つのコネクタに対応してそれぞれ設置され、前記コネクタから入力される入力信号が、適切な入力信号であるか否かを判定して判定結果を出力するとともに、当該入力信号が適切な入力信号である場合に、当該入力信号を出力する少なくとも一つの接続検出部と、
既に接続された前記コネクタの接続情報を保持しており、当該接続情報と前記判定結果とに基づいて、ユーザが次に行うべき接続に関する接続ガイダンス情報を生成する接続ガイダンス部と、
前記接続ガイダンス情報をユーザに提供する出力部とを備える、コネクタ機器。
【請求項２】
前記接続ガイダンス部は、前記少なくとも一つ以上のコネクタを接続する順序を保持し、当該順序と前記接続情報とに基づいて、接続すべき前記コネクタを指定するための前記接続ガイダンス情報を生成することを特徴とする、請求項１に記載のコネクタ機器。
【請求項３】
前記接続ガイダンス情報によって指定されたコネクタと異なるコネクタから信号が入力された場合、前記接続ガイダンス部は、前記順序に従った接続ではないことをユーザに通知するための接続ガイダンス情報を生成することを特徴とする、請求項２に記載のコネクタ機器。
【請求項４】
前記少なくとも一つの接続検出部は、前記入力信号の周波数帯域が、所定の周波数帯域と一致するか否かを判定することを特徴とする、請求項１に記載のコネクタ機器。
【請求項５】
前記少なくとも一つの接続検出部は、前記コネクタに通信機器が接続しており、前記入力信号の周波数帯域と前記所定の周波数帯域とが一致する場合、当該通信機器に対してテストコールを行い、当該テストコールに対する応答があるか否か判定することを特徴とする、請求項４に記載のコネクタ機器。
【請求項６】
前記コネクタがネットワーク機器に接続する場合、前記少なくとも一つの接続検出部は、前記コネクタを介して当該ネットワーク機器から入力されるパケットが、所定のパケットであるか否かを判定することを特徴とする、請求項１に記載のコネクタ機器。
【請求項７】
前記コネクタ機器の電源を投入した場合、前記接続検出部は、前記他の電気機器に予め接続している前記コネクタからの入力信号が適切な入力信号であるか否かを判定することを特徴とする、請求項１に記載のコネクタ機器。
【請求項８】
前記接続ガイダンス部の動作状態と停止状態とを切り替えるための指示部をさらに備えることを特徴とする、請求項１に記載のコネクタ機器。
【請求項９】
前記指示部は、前記接続ガイダンス部の動作状態と停止状態とを切り替えるためのボタンであることを特徴とする、請求項８に記載のコネクタ機器。
【請求項１０】
前記指示部は、他のネットワーク機器と予め接続しており、当該ネットワーク機器から出力部の動作状態と停止状態とを切り替えることを特徴とする、請求項８に記載のコネクタ機器。
【請求項１１】
前記接続情報を他の通信機器に送信するための通信部をさらに備える、請求項１に記載のコネクタ機器。
【請求項１２】
前記コネクタと前記他の電気機器とが接続している状態において、
前記接続検出部は、前記コネクタからの前記入力信号を所定の時間検出できない場合、信号未検出通知を出力し、
前記接続ガイダンス部は、前記信号未検出通知に基づいて、前記コネクタと前記他の電気機器との接続が外れたことを通知するための接続ガイダンス情報を生成することを特徴とする、請求項１に記載のコネクタ機器。
【発明の詳細な説明】
【技術分野】
【０００１】
本発明は、複数の電気機器間の信号接続を中継するコネクタを有するコネクタ機器に関し、より特定的には、コネクタ機器と他のコネクタ機器とを接続する際の接続ガイダンスを行うコネクタ機器に関する。
【背景技術】
【０００２】
ＰＣ、プリンタ、及びルータなどの電子機器や、テレビ、ＤＶＤプレーヤー、及びビデオなどのＡＶ機器などの電気機器は、コネクタを備えており、コネクタを介して周辺機器と接続して使用することが一般的である。例えば、コンピュータは、プリンタやルータ等の周辺機器と接続して使用される。近年、電気機器の多様化によって、電気機器に接続する周辺機器が増加する傾向にある。このような状況に伴い、電気機器と周辺機器との接続作業、及び電気機器間の接続状態の確認など、ユーザの負担も増加する傾向にある。このため、コネクタを備える電気機器（以下、コネクタ機器という）間の接続を補助するための様々な方法が、提案されている。
【０００３】
コネクタ機器間の接続状態をユーザに示す方法として、コネクタ機器のコネクタの近傍に発光ダイオード（ＬＥＤ）を設置することが従来から行われている。コネクタ機器と他のコネクタ機器とが正常に接続している場合、ＬＥＤは、発光することによってユーザに正しい接続であることを知らせている。例えば、ＰＣとハブとをＬＡＮケーブルを介して接続した場合、ハブは、コネクタの周辺に設置されたＬＥＤを用いて、ＰＣに正常に接続している状態の時にリンクアップの表示を行う。
【０００４】
特許文献１は、電子機器の設置手順を画面上に表示することによって、ユーザに対してガイダンスを行う機能を備える電子機器を開示している。図１５は、特許文献１に係る電子機器の構成例を示す図である。図１５において、電子機器は、システムバス９０１と、電源ＯＮ／ＯＦＦ制御回路９０２と、表示器９０３と、表示回路９０４と、信号ライン断続回路９０５と、第１のケーブルコネクタ９０６とを備える。電源ＯＮ／ＯＦＦ制御回路９０２は、システムバス９０１に接続する。表示器９０３は、表示回路９０４を介してシステムバス９０１に接続する。第１のケーブルコネクタ９０６は、信号ライン断続回路９０５を介してシステムバス９０１に接続する。外部周辺機器９０８は、第２のケーブルコネクタ９０７を備える。
【０００５】
図１５に示す電子機器と、外部周辺機器９０８とを接続する場合、表示器９０３は、表示回路９０４から出力される所定の表示データを表示する。所定の表示データとは、接続の仕方をユーザに分かりやすく図示したものである。また、外部周辺機器９０８に接続する第１のケーブルコネクタ９０６の周辺に発光ダイオード（ＬＥＤ）等を配置させる。ＬＥＤを発光させることにより、ユーザは一目で接続する第１のケーブルコネクタ９０６を認識することが可能となる。
【０００６】
電子機器の電源がＯＮされた場合、電源ＯＮ／ＯＦＦ制御回路９０４は、第１のケーブルコネクタ９０６と第２のケーブルコネクタ９０７とが接続されているか否かを判断する。第１のケーブルコネクタ９０６と第２のケーブルコネクタ９０７とが接続していない場合、信号ライン断続回路９０５は、第１のケーブルコネクタ９０６の信号ラインを、ハイ・インピーダンス状態にする。これにより、電子機器の電源がＯＮの状態の時に、ユーザの不注意により、第１のケーブルコネクタ９０６に誤った外部周辺機器が接続されたとしても、電子機器の破損を防止する。
【特許文献１】特開平５−３４１８８２号公報
【発明の開示】
【発明が解決しようとする課題】
【０００７】
しかし、ＬＥＤを用いた接続状態の表示は、ユーザにコネクタ機器間の接続方法を示すものではない。このため、ユーザは、複数のコネクタ機器を誤って接続を行ったとしても、接続状態を確認するために、コネクタ機器を一度動作させる必要がある。従って、誤った接続のままでコネクタ機器を動作させることになるため、コネクタ機器が破損してしまう恐れがある。また、誤った接続を行った場合、ユーザは、コネクタ機器間の接続を初めからやり直す必要がある。
【０００８】
特許文献１に係る発明は、複数のコネクタ機器の接続が誤っていた際に、コネクタ機器の破損を防ぐことが可能である。しかし、特許文献１に係る発明は、設置手順を示す文字や画像を電子機器の画面上に表示しているのみであり、複数のコネクタ機器を接続した際に、コネクタ機器間の接続の正誤を判断していない。このため、特許文献１に係る発明は、コネクタ機器間の接続の正誤を確認するために、コネクタ機器の再起動をしなければならないという問題があった。
【０００９】
それ故に、本発明は、複数のコネクタ機器を接続する際に、接続ガイダンスを行うとともに、コネクタ機器間の接続がされた際に、接続の正誤を判定することの出来るコネクタ機器を提供するによって、複数のコネクタ機器を接続するユーザの負担を軽減することを目的とする。
【課題を解決するための手段】
【００１０】
本発明は、複数の電気機器間の信号接続を中継するコネクタを有するコネクタ機器に向けられている。そして、上記目的を達成させるために、接続ケーブルを介して他の電気機器に接続する少なくとも一つのコネクタと、少なくとも一つのコネクタに対応してそれぞれ設置され、コネクタから入力される入力信号が、適切な入力信号であるか否かを判定して判定結果を出力するとともに、入力信号が適切な入力信号である場合に、入力信号を出力する少なくとも一つの接続検出部と、既に接続されたコネクタの接続情報を保持しており、接続情報と判定結果とに基づいて、ユーザが次に行うべき接続に関する接続ガイダンス情報を生成する接続ガイダンス部と、接続ガイダンス情報をユーザに提供する出力部とを備えさせる。
【００１１】
好ましくは、接続ガイダンス部は、少なくとも一つ以上のコネクタを接続する順序を保持し、順序と接続情報とに基づいて、接続すべきコネクタを指定するための接続ガイダンス情報を生成する。また、指定されていないコネクタから信号が入力された場合、接続ガイダンス部は、順序に従った接続ではないことを通知するための接続ガイダンス情報を生成してもよい。
【００１２】
一例として、接続検出部は、入力信号が所定の周波数帯域であるか否かを判定する。なお、コネクタと通信機器とが接続する場合、接続検出部は、周波数帯域の判定とともに、通信機器に対してテストコールを行い、通信機器からの応答がある否かを判定してもよい。また、一例として、接続検出部は、コネクタがネットワーク機器に接続する場合、ネットワーク機器から入力されるパケットが所定のパケットであるか否かを判定してもよい。
【００１３】
好ましくは、コネクタと他の電気機器とが接続されている状態で、コネクタ機器の電源を投入した時、接続検出部は、入力信号が適切な入力信号であるか否かを判定してもよい。また、コネクタ機器は、接続情報を他の通信機器に送信するための通信部をさらに備えてもよい。
【００１４】
好ましくは、接続ガイダンス部の動作状態と停止状態とを切り替えるための指示部をさらに備える。指示部は、出力部の動作状態と停止状態とを切り替えるためのボタンでもよいし、予めコネクタ機器と接続するネットワーク機器を介して指示部を操作してもよい。
【００１５】
好ましくは、コネクタと他の電気機器とが接続している状態において、接続検出部は、コネクタから入力信号を所定の時間検出できない場合、信号未検出通知を出力し、接続ガイダンス部は、信号未検出通知に基づいて、コネクタと他の電気機器との接続が外れたことを通知するための接続ガイダンス情報を生成する。
【発明の効果】
【００１６】
上記のように本発明によれば、コネクタ機器と他の電気機器とを接続した際に、接続検出部は、接続の正誤を判定する。コネクタ機器は、正しい接続である場合、コネクタを介して入力される信号の処理が可能となる。これにより、ユーザが誤った接続を行ったとしても、誤った接続によるコネクタ機器の破損を防ぐことが可能となる。また、コネクタ機器は、コネクタの接続状態に応じた接続ガイダンスを行うため、ユーザの誤接続を防止することが可能となる。
【００１７】
コネクタ機器の電源を投入した時、コネクタ機器の入力信号が適切な入力信号であるか否かを判定することによって、コネクタ機器の電源が入っていない状態の時に新たに接続されたコネクタの接続の正誤をコネクタ機器の電源投入後に判定することができる。また、接続検出部は、既に接続されたコネクタが外れたことを検知して、ユーザに接続をガイダンスすることによって、コネクタの接続をいち早く復旧することができる。さらに、接続ガイダンス部の動作状態と停止状態とを切り替えるための指示部を備えることによって、コネクタ機器の接続を終了した場合に、ユーザの意思でガイダンスを終了させることができる。
【発明を実施するための最良の形態】
【００１８】
（第１の実施形態）
第１の実施形態に係るコネクタ機器は、他のコネクタ機器と接続ケーブルを介して接続するものとする。以下の説明において、コネクタ機器間の接続において、接続ケーブルに関する記載を省略する。
【００１９】
図１は、本発明の第１の実施形態に係るコネクタ機器１０のブロック構成を示す図である。図１において、コネクタ機器１０は、ｎ個（ｎは任意の自然数）のコネクタ１１１〜１１ｎと、ｎ個の接続検出部１２１〜１２ｎと、接続ガイダンス部１３０と、出力部１４０と、信号処理部１５０を備える。接続ガイダンス部１３０は、コネクタ管理テーブル１３１を含む。
【００２０】
コネクタ１１ｉ（ｉは、１以上ｎ以下の自然数）と接続検出部１２ｉとは、それぞれが一対一で対応して接続する。接続検出部１２１〜１２ｎは、接続ガイダンス部１３０及び信号処理部１５０にそれぞれ接続する。接続ガイダンス部１３０は、出力部１４０に接続する。
【００２１】
コネクタ１１ｉは、他のコネクタ機器と接続するコネクタである。接続検出部１２ｉは、コネクタ１１ｉが他のコネクタ機器と接続したか否かを検出する。また、接続検出部１２ｉは、信号処理部１５０とコネクタ１１ｉとの接続状態の切り替えを行う。コネクタ管理テーブル１３１は、コネクタ１１１〜１１ｎの接続状態を接続情報として保持する。また、接続ガイダンス部１３０は、コネクタ機器１０の接続ガイダンスを行うための接続ガイダンス情報を生成する。出力部１４０は、接続ガイダンス部１３０が出力する接続ガイダンス情報をユーザに提供する。信号処理部１５０は、コネクタ１１ｉを介して入出力される電気信号の処理を行う。例えば電話機の場合、信号処理部に入力される信号を処理して、音声を出力する。
【００２２】
なお、コネクタ機器１０は、信号処理部１５０を備えていなくてもよい。この場合、コネクタ機器１０は、信号処理部１５０を備える他の電気機器と接続ケーブル等を介して接続することによって使用される。
【００２３】
コネクタ１１ｉに他のコネクタ機器が接続されると、接続検出部１２ｉは、他のコネクタ機器からコネクタ１１ｉに入力された入力信号を検出する。接続検出部１２ｉは、入力信号がコネクタ１１ｉに入力される信号として適切な入力信号であるか否かを判定して、判定結果を接続ガイダンス部１３０へ通知する。また、接続検出部１２ｉは、入力信号が適切信号であると判定した場合、信号処理部１５０とコネクタ１１ｉとの間を接続可能な状態にする。これにより、コネクタ機器１０は、コネクタ１１ｉを介して入出力される信号の処理が可能となる。接続検出部１２ｉは、入力信号が誤った信号である場合、信号処理部１５０とコネクタ１１ｉとを接続しない。これにより、コネクタ機器１０は、誤った接続によって入力される信号の処理を行わないため、コネクタ機器自体の破損を防ぐことが可能となる。
【００２４】
コネクタ１１ｉが他のコネクタ機器に接続している状態において、何らかの理由でコネクタ１１ｉと他のコネクタ機器との接続が外れた場合、接続検出部１２ｉには、コネクタ１１ｉから入力されないことになる。接続検出部１２ｉは、所定の時間、コネクタ１１ｉからの信号の入力を検出できない場合、コネクタ１１ｉと他のコネクタ機器との接続が外れたと判定して、信号未検出通知を接続ガイダンス部１３０に出力する。
【００２５】
図２は、接続ガイダンス部１３０が保持するコネクタ管理テーブル１３１の一例を示す図である。コネクタ管理テーブル１３１は、それぞれのコネクタと、それぞれのコネクタの接続状態とを対応付けて保持している。例えば、コネクタ１１１は、他のコネクタ機器と既に接続されていることを示す。コネクタ管理テーブル１３１は、コネクタ１１ｉと他のコネクタ機器とが接続した場合、若しくは外れた場合に更新される。接続ガイダンス部１３０は、コネクタ管理テーブル１３１と、接続検出部１２ｉからの検出結果とに基づいて、ユーザが次に行うべき接続ガイダンス情報を生成する。
【００２６】
出力部１４０は、スピーカや液晶などで構成され、接続ガイダンス部１３０が出力する接続ガイダンス情報を音声や映像などを用いてユーザに表示する。なお、出力部１４０は、コネクタ１１ｉの接続の正誤のみをユーザに知らせればよい場合、ビープ音を用いてもよい。
【００２７】
図３は、コネクタ機器１０が行う接続ガイダンスの動作を示すフローチャートである。以下、図３を用いてコネクタ機器１０の動作を説明する。コネクタ機器１０は、接続ガイダンスを開始すると、接続ガイダンスが始まった旨のメッセージをユーザに通知し（ステップＳ１０１）、接続待機状態となる（ステップＳ１０２）。
【００２８】
コネクタ機器１０は、コネクタ１１ｉにケーブルが接続されたことを検出する（ステップＳ１０３、Ｙｅｓ）と、コネクタ１１ｉの接続が正しい接続であるか判定を行う（ステップＳ１０４）。
【００２９】
コネクタ１１ｉの接続が正しい接続である場合（ステップＳ１０４、Ｙｅｓ）、コネクタ機器１０は、コネクタ管理テーブル１３１に保持されている接続されたコネクタ１１ｉの接続状態を、未接続から接続に変更して（ステップＳ１０５）、接続コネクタ数の値を１増加させる（ステップＳ１０６）。コネクタ機器１０は、コネクタ１１ｉの接続が正しい接続である旨のメッセージをユーザに通知する（ステップＳ１０７）。コネクタ機器１０は、コネクタ管理テーブル１３１を参照して、既に接続されたコネクタ数とコネクタの数とが一致するか確認を行う（ステップＳ１０８）。
【００３０】
既に接続されたコネクタ数とコネクタの数とが一致しない場合（ステップＳ１０８、Ｙｅｓ）、コネクタ機器１０は、未接続のコネクタの接続を行うことをユーザに促すメッセージを出力して（ステップＳ１１２）、接続待機状態（ステップＳ１０２）に戻る。未接続のコネクタが存在しない場合、コネクタ機器１０は、全てのコネクタの接続が終了したことを告げるメッセージをユーザに通知し（ステップＳ１０９）、接続ガイダンスを終了する。
【００３１】
ステップＳ１０４において、コネクタ１１ｉの接続が誤った接続である場合（ステップＳ１０４、Ｎｏ）、コネクタ機器１０は、誤った接続であることをユーザに通知するとともに、誤った接続を外すことを要求するメッセージを出力する（ステップＳ１１０）。コネクタ機器１０は、誤った接続が外れたことを確認すると（ステップＳ１１１、Ｙｅｓ）、次の接続を促すメッセージをユーザに通知して（ステップＳ１１２）、接続待機状態（ステップＳ１０２）に戻る。
【００３２】
図４は、コネクタ機器１０の接続済みのコネクタが抜けてしまった場合における、コネクタ機器１０の処理を示すフローチャートである。コネクタ機器１０のユーザは、誤った操作によって、既に接続されたコネクタの接続を外してしまうことがあると考えられる。このような場合のコネクタ機器１０の動作を説明する。
【００３３】
コネクタ機器１０は、接続済みのコネクタ１１ｉの接続状態を常時監視している。コネクタ機器１０は、接続済みのコネクタ１１ｉからの信号の入力が途絶えたことを検知すると、図４に示すフローチャートを実行する。コネクタ機器１０は、信号の入力が途絶えたコネクタ１１ｉから所定の時間以内に信号を再度検出できない場合、コネクタ１１ｉの接続が外れたと判定する（ステップＳ２０１、Ｙｅｓ）。所定の時間以内に、信号を検出した場合（ステップＳ２０１、Ｎｏ）、コネクタ機器１０は、コネクタ１１ｉの接続状態が維持されていると判定して、処理を終了する。
【００３４】
コネクタ機器１０は、コネクタ１１ｉの接続が外れたと判定した場合、コネクタ管理テーブル１３１のコネクタ１１ｉの接続状態を、接続から未接続に変更する（ステップＳ２０２）。コネクタ機器１０は、接続コネクタ数の値を１マイナスする（ステップＳ２０３）。コネクタ機器１０は、コネクタ１１ｉの接続が外れた旨のメッセージをユーザに通知する（ステップＳ２０４）。コネクタ機器１０は、接続ガイダンス中であるかどうか判断する（ステップＳ２０５）。接続ガイダンス中でない場合、コネクタ機器１０は、接続が外れたコネクタ１１ｉの接続を復旧させるために、コネクタ１１ｉに応じた接続ガイダンスを行い（ステップＳ２０６）、処理を終了する。接続ガイダンス中の場合、コネクタ機器１０は、接続待機状態に戻るために処理を終了する。なお、接続ガイダンス中であっても、接続が外れたコネクタ１１ｉの接続ガイダンスを行ってもよい。
【００３５】
このように、第１の実施形態に係るコネクタ機器１０は、ユーザがコネクタ機器１０と他のコネクタ機器とを接続した時に、接続の正誤を判定する。これにより、ユーザがコネクタ機器１０の接続する際の誤接続を防ぐことが可能となるとともに、誤接続によるコネクタ機器１０の破損を防ぐことが可能となる。また、コネクタ機器１０の接続済みのコネクタが外れた場合、ユーザにコネクタが外れたことを通知することによって、ユーザは、コネクタ機器１０の接続を直ちに復旧することが可能となる。
【００３６】
なお、コネクタ機器１０は、コネクタ１１１〜１１ｎの代わりに、接続ケーブルを備えてもよい。この場合、接続検出部１２１〜１２ｎと接続ケーブルとが直接接続する。また、他の電気機器が信号処理部１５０を備える場合、コネクタ機器１０は、接続検出部１２１〜１２ｎが出力する信号を、他の電気機器に出力するための接続ケーブルまたはコネクタを備えていてもよい。
【００３７】
また、コネクタ機器１０は、電源投入時に、他のコネクタ機器と接続しているコネクタの接続状態の正誤を判断してもよい。これにより、コネクタ機器１０が電源ＯＦＦの状態の時に、ユーザがコネクタ機器１０に対して新たな接続が行ったとしても、コネクタ機器１０は、接続の正誤の判断が可能となるとともに、コネクタ機器１０の破損を防ぐことが可能となる。
【００３８】
また、コネクタ機器１０は、ガイダンス機能の動作状態と停止状態とを切り替える指示部（図示せず）を備えていてもよい。コネクタ機器に接続したＰＣ等から、コネクタ機器にログインすることによって、指示部の操作を行う。また、コネクタ機器１０が音声を用いてガイダンスを行う場合、指示部は音声ボリューム調整つまみなどでもよい。この場合、コネクタ機器１０は、音声ボリューム調整つまみの音量設定を０にして消音することによって、ガイダンス機能をＯＦＦにすることが可能である。さらに、指示部は、音声の消音ボタンであってもよいし、単にガイダンス機能の動作状態と停止状態とを切り替えるためのボタンであってもよい。
【００３９】
さらに、コネクタ機器１０は、コネクタ機器１０を管理するサーバと通信を行うための通信部をさらに備えていてもよい。コネクタ機器１０は、コネクタ管理テーブル１３１が保持するコネクタ１１１〜１１ｎの接続状態を、通信部を介してコネクタ機器管理サーバに送信する。コネクタ機器管理サーバは、コネクタ管理テーブル１３１と同じ情報をデータベースに保持する。これによって、コネクタ機器１０のリモートメンテナンスをすることが可能となる。例えば、コネクタ機器１０をＡＤＳＬモデムに適用することが考えら得る。これにより、インターネットサービスプロバイダが、お客様宅内のネットワーク状況を監視することが可能なるとともに、お客様宅内のネットワークに障害が発生した場合に、迅速な対応を行うことが可能となる。なお、コネクタ機器１０は、コネクタ管理テーブル１３１が更新するごとに、コネクタ機器管理サーバに送信してもよい。
【００４０】
（第２の実施形態）
第１の実施形態に係るコネクタ機器は、コネクタ機器１０のコネクタと他のコネクタ機器とが接続した際に、接続の正誤を判断し、判断結果をユーザに通知していた。第２の実施形態に係るコネクタ機器は、コネクタ機器の接続順序についてもガイダンスを行う点が、第１の実施形態のコネクタ機器と異なる。
【００４１】
第２の実施形態に係るコネクタ機器の構成は、第１の実施形態に係るコネクタ機器１０と同様の構成であるため、その説明を省略する。以下の説明では、第１の実施形態と異なる点のみを説明する。
【００４２】
図５は、第２の実施形態に係るコネクタ機器１０のコネクタ管理テーブル１３１の一例を示す図である。コネクタ管理テーブル１３１は、コネクタとコネクタの接続順序に関する情報とを対応付けて保存している点が、第１の実施形態と異なる。第２の実施形態に係るコネクタ機器は、コネクタ管理テーブル１３１と、接続検出部１２ｉからの出力結果とに基づいて、コネクタ機器の接続順序も考慮に入れた接続ガイダンスを行う。
【００４３】
第２の実施形態に係るコネクタ機器１０について、ＶｏＩＰ−ＴＡ付きモデム内蔵ルータを例にして説明を行う。図６は、ＶｏＩＰ−ＴＡ付きモデム内蔵ルータ（以下、ルータという）２００の接続図である。図６に示すようにルータ２００は、スプリッタ５１０と、ＰＣ５２０と、電話機５４０とに接続する。スプリッタ５１０は、モジュラージャック５３０を介して、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）回線に接続する。
【００４４】
ルータ２００は、ＬＡＮ（Ｌｏｃａｌ  Ａｒｅａ  Ｎｅｔｗｏｒｋ）コネクタ２１１と、ＡＤＳＬ（Ａｓｙｍｍｅｔｒｉｃ  Ｄｉｇｉｔａｌ  Ｓｕｂｓｃｒｉｂｅｒ  Ｌｉｎｅ）コネクタ２１２と、ＴＥＬコネクタ２１３と、ＬＩＮＥコネクタ２１４と、接続ガイダンス部２３０を備える。接続ガイダンス部２３０は、コネクタ管理テーブル２３１を含む。スプリッタ５１０は、ＬＩＮＥコネクタ５１１と、モデムコネクタ５１２と、ＴＥＬコネクタ５１３とを備える。なお、図６に示すルータ２００において、コネクタ及び接続ガイダンス部２３０以外の構成の表示を省略している。
【００４５】
ルータ２００において、ＬＡＮコネクタ２１１は、ＰＣ５２０と接続する。ＡＤＳＬコネクタ２１２は、スプリッタ５１０のモデムコネクタ５１２と接続する。ＴＥＬコネクタ２１３は、電話機５４０と接続する。ＬＩＮＥコネクタ２１４は、スプリッタ５１０のＴＥＬコネクタ５１３と接続する。スプリッタ５１０のＬＩＮＥコネクタ５１１は、モジュラージャック５３０と接続する。
【００４６】
ルータ２００が行う接続ガイダンスを、図７〜図１２を用いて説明する。なお、以下の説明において、スプリッタ５１０のＬＩＮＥコネクタ５１１とモジュラージャック５３０とは、既に接続されているものとする。それ以外の機器のコネクタは、接続されていない状態とする。ルータ２００、スプリッタ５１０、ＰＣ５２０、及び電話機５４０は、電源が入っている状態とする。図７は、コネクタ管理テーブル２３１の初期状態を示す図である。コネクタ管理テーブル２３１の初期状態は、図７に示すように全てのコネクタの接続状態が「未接続」状態となっている。
【００４７】
図８は、ルータ２００が行う接続ガイダンスのフローチャートである。図８に示すように、ルータ２００は、図７に示すコネクタ管理テーブル２３１の接続順序に基づいてガイダンスを行う。ルータ２００は、ルータ２００がコネクタの接続ガイダンスを行う旨の開始メッセージをユーザに通知する（ステップＳ３０１）。ルータ２００は、ルータ２００のＬＡＮコネクタ２１１とＰＣ５２０とを接続するためのＬＡＮコネクタ接続ガイダンス（ステップＳ３０２）を行う。ルータ２００は、ルータ２００のＡＤＳＬコネクタ２１２とスプリッタ５１０のモデムコネクタ５１２とを接続するためのＡＤＳＬコネクタ接続ガイダンス（ステップＳ３０３）を行う。ルータ２００は、ルータ２００のＬＩＮＥコネクタ２１４とスプリッタ５１０のＴＥＬコネクタ５１３を接続するためのＬＩＮＥコネクタ接続ガイダンス（ステップＳ３０４）を行う。ルータ２００は、ルータ２００のＴＥＬコネクタ２１３と電話機５４０とを接続するためのＴＥＬコネクタ接続ガイダンス（ステップＳ３０５）を行う。全てのコネクタの接続が終了すると、ルータ２００は、接続が終了した旨の終了メッセージをユーザに通知して（ステップＳ３０６）、接続ガイダンスを終了する。
【００４８】
図９は、ルータ２００がＬＡＮコネクタ接続ガイダンス（ステップＳ３０２）を行う時の詳細な動作を示すフローチャートである。ルータ２００は、コネクタ管理テーブル２３１を確認し、接続を行うコネクタがＬＡＮコネクタ２１１であることを確認する（ステップＳ４０１）。具体的には、コネクタ管理テーブル２３１において、接続状態が未接続であり、かつ接続順序が一番上位のコネクタが、次に接続するコネクタであると判断する。ルータ２００は、「ルータのＬＡＮコネクタとＰＣのＬＡＮコネクタとを接続してください」とメッセージを出力する（ステップＳ４０２）。
【００４９】
ルータ２００は、ＬＡＮコネクタ２１１にケーブルが接続した場合、入力される信号がＥｔｈｅｒｎｅｔ（登録商標）の信号であるか判定を行う（ステップＳ４０３）。Ｅｔｈｅｒｎｅｔ（登録商標）は、数十ＭＨｚ以上の周波数帯域の信号を用いる。このため、ルータ２００は、ＬＡＮコネクタ２１１に入力された信号が数十ＭＨｚ以上の周波数である場合、Ｅｔｈｅｒｎｅｔ（登録商標）の信号を検出したと判断する。そして、ルータ２００は、ＬＡＮコネクタ２１１とＰＣ５２０とが正しく接続されたと判定する。
【００５０】
ＬＡＮコネクタ２１１とＰＣ５２０とが正しく接続された場合（ステップＳ４０３、Ｙｅｓ）、ルータ２００は、「ルータのＬＡＮコネクタとＰＣのＬＡＮコネクタとの接続が完了しました」とメッセージを出力する（ステップＳ４０５）。ルータ２００は、メッセージ出力後に、コネクタ管理テーブル２３１のＬＡＮコネクタ２１１の接続状態を、未接続から接続に更新し（ステップＳ４０６）、ＬＡＮコネクタ接続ガイダンスを終了する。
【００５１】
ルータ２００は、誤った接続が行われたと判断した場合（ステップＳ４０３、Ｎｏ）、「誤った接続を行っています。」とメッセージを出力し（ステップＳ４０６）、ステップＳ４０２に戻る。なお、ルータ２００は、ユーザが誤って接続した接続先のコネクタを特定できる場合、誤って接続したコネクタをユーザに通知してもよい。
【００５２】
例えば、ユーザが誤って、ルータ２００のＬＡＮコネクタ２１１とスプリッタ５１０のモデムコネクタ５１２とを接続した場合、ＬＡＮコネクタ２１１には、ＡＤＳＬ信号が入力される。ＡＤＳＬ信号は、２６ｋＨｚ〜数ＭＨｚの周波数の信号である。ルータ２００は、２６ｋＨｚ〜数ＭＨｚの周波数の信号がＬＡＮコネクタ２１１に入力されたことを検知した場合、ＬＡＮコネクタ２１１とスプリッタ５１０のモデムコネクタ５１２とが接続されたと判断する。そして、ルータ２００は、「誤ってルータのＬＡＮコネクタとスプリッタのモデムコネクタとを接続しています」とメッセージを出力する。
【００５３】
また、ユーザが誤ってルータ２００のＬＡＮコネクタ２１１と、スプリッタ５１０のＴＥＬコネクタ５１３または電話機５４０とを接続した場合、ＬＡＮコネクタ２１１には、ＰＳＴＮ信号が入力される。ＰＳＴＮ信号は、０〜４ｋＨｚの周波数の信号である。ルータ２００は、０〜４ｋＨｚの周波数の信号がＬＡＮコネクタ２１１への入力されたことを検知した場合、ＬＡＮコネクタ２１１と、スプリッタ５１０のＴＥＬコネクタ５１３または電話機５４０とが接続されたと判断する。そして、ルータ２００は、「誤ってスプリッタのＴＥＬコネクタまたは電話機と、ルータのＬＡＮコネクタとを接続しています」とメッセージを出力する。
【００５４】
図１０は、ＡＤＳＬコネクタ接続ガイダンス（ステップＳ３０３）を行う時のルータ２００の詳細な動作を示すフローチャートである。ルータ２００は、コネクタ管理テーブル２３１を確認し、次に接続を行うコネクタがルータ２００のＡＤＳＬコネクタ２１２であることを確認する（ステップＳ５０１）。ルータ２００は、「ルータのＡＤＳＬコネクタとスプリッタのモデムコネクタとを接続してください。」とメッセージを出力する（ステップＳ５０２）。
【００５５】
ルータ２００は、ＡＤＳＬコネクタ２１２にケーブルが接続された場合、ＡＤＳＬコネクタ２１２を介して入力される信号がＡＤＳＬ信号であるか判定を行う（ステップＳ５０３）。ルータ２００は、２６ｋＨｚ〜数ＭＨｚの周波数の信号がＡＤＳＬコネクタ２１２に入力されたことを検知した場合（ステップＳ５０３、Ｙｅｓ）、ＡＤＳＬ信号を検出したと判断する。そして、ルータ２００は、ＡＤＳＬコネクタ２１２とスプリッタ５１０のモデムコネクタ５１２とが正しく接続されたと判定する。ルータ２００は、「ルータのＡＤＳＬコネクタとスプリッタのモデムコネクタとの接続が完了しました」とメッセージを出力する（ステップＳ５０４）。ルータ２００は、メッセージ出力後に、コネクタ管理テーブル２３１のＡＤＳＬコネクタの接続状態を、未接続から接続に更新し（ステップＳ５０４）、ＡＤＳＬコネクタ接続ガイダンスを終了する。
【００５６】
ルータ２００は、入力された信号がＡＤＳＬ信号ではないと判断した場合（ステップＳ５０３、Ｎｏ）、接続が誤りであると判定して、「誤った接続を行っています」とメッセージを出力し（ステップＳ５０６）、ステップＳ５０２に戻る。なお、ＬＡＮコネクタ接続ガイダンスと同様に、ルータ２００は、ユーザが誤って接続した接続先のコネクタを特定できる場合、誤って接続した接続先のコネクタをユーザに通知してもよい。
【００５７】
例えば、ユーザが誤って、ルータ２００のＡＤＳＬコネクタ２１２とＰＣ５２０とを接続した場合、ＡＤＳＬコネクタ２１２には、Ｅｔｈｅｒｎｅｔ（登録商標）信号が入力される。ルータ２００は、Ｅｔｈｅｒｎｅｔ（登録商標）で用いる周波数の信号がＡＤＳＬコネクタ２１２に入力されたことを検知した場合、ＡＤＳＬコネクタ２１２とＰＣ５２０とが接続されたと判断する。そして、ルータ２００は、「誤ってルータのＡＤＳＬコネクタとＰＣとを接続しています」とメッセージを出力する。
【００５８】
また、ユーザが誤ってルータ２００のＡＤＳＬコネクタ２１２と、スプリッタ５１０のＴＥＬコネクタ５１３または電話機５４０とを接続した場合、ＡＤＳＬコネクタ２１２には、ＰＳＴＮ信号が入力される。ルータ２００は、ＰＳＴＮで用いる周波数の信号がＡＤＳＬコネクタ２１２に入力されたことを検知した場合、ＬＡＮコネクタ２１１と、スプリッタ５１０のＴＥＬコネクタ５１３または電話機５４０とが接続されたと判断する。そして、ルータ２００は、「誤ってルータのＡＤＳＬコネクタと、スプリッタのＴＥＬコネクタまたは電話機とを接続しています」とメッセージを出力する。
【００５９】
図１１は、ＬＩＮＥコネクタ接続ガイダンス（ステップＳ３０４）を行う時のルータ２００の詳細な動作を示すフローチャートである。ルータ２００は、コネクタ管理テーブル２３１を参照して、次に接続を行うコネクタがルータ２００のＬＩＮＥコネクタ２１４であることを確認する（ステップＳ６０１）。ルータ２００は、「ルータのＬＩＮＥコネクタとスプリッタのＴＥＬコネクタとを接続してください。」とメッセージを出力する（ステップＳ６０２）。
【００６０】
ルータ２００は、ＬＩＮＥコネクタ２１４にケーブルが接続された場合、ＬＩＮＥコネクタ２１４の接続が正しいか否かを判定する（ステップＳ６０３）。ルータ２００は、ＬＩＮＥコネクタ２１４に入力される信号の周波数帯域がＰＳＴＮで用いられる周波数帯域であるか判定を行う。また、ルータ２００は、ＡＤＳＬコネクタ２１２の接続検出部から電話機５４０へのアクセスが可能であるか判定を行う。ルータ２００は、ＬＩＮＥコネクタ２１４に入力された信号の周波数帯域が０〜４ｋＨｚであり、ＡＤＳＬコネクタ２１２の接続検出部から電話機５４０へのアクセスが不可能である場合に、ＬＩＮＥコネクタ２１４とスプリッタ５１０のＴＥＬコネクタ５１３とが正しく接続されたと判定する。
【００６１】
ＬＩＮＥコネクタ２１４とスプリッタ５１０のＴＥＬコネクタ５１３とが正しく接続された場合（ステップＳ６０３、Ｙｅｓ）、ルータ２００は、「ルータのＬＩＮＥコネクタとスプリッタのＴＥＬコネクタとの接続が完了しました」とメッセージを出力する（ステップＳ６０４）。ルータ２００は、メッセージ出力後に、コネクタ管理テーブル２３１のＬＩＮＥコネクタの接続状態を、未接続から接続に更新し（ステップＳ６０５）、ＡＤＳＬコネクタ接続ガイダンスを終了する。
【００６２】
一方、ルータ２００は、ＬＩＮＥコネクタ２１４とスプリッタ５１０のＴＥＬコネクタ５１３とが接続されていないと判断した場合（ステップＳ６０３、Ｎｏ）、「誤った接続を行っています」とメッセージを出力し（ステップＳ６０６）、ステップＳ６０２に戻る。
【００６３】
なお、ルータ２００は、ユーザが誤って接続した接続先のコネクタを特定できる場合、誤って接続したコネクタをユーザに通知してもよい。例えば、ルータ２００は、ＬＩＮＥコネクタ２１４に入力された信号の周波数が０〜４ｋＨｚであり、ＡＤＳＬコネクタ２１２の接続検出部から電話機５４０へのアクセスが可能である場合、ＬＩＮＥコネクタ２１４と電話機５４０とが接続されたと判定する。そして、２００は、「誤ってルータのＬＩＮＥコネクタと電話機とを接続しています」とメッセージを出力する。
【００６４】
また、ルータ２００は、ＬＩＮＥコネクタ２１４と、スプリッタ５１０のモデムコネクタ５１２またはＰＣ５２０とが接続された場合、上記のように、ＬＩＮＥコネクタ２１４に入力される信号の周波数を検出することによって、誤って接続されたコネクタを判定するとともに、誤って接続した接続先のコネクタをユーザに通知する。
【００６５】
図１２は、ＴＥＬコネクタ接続ガイダンス（ステップＳ３０５）を行う時のルータ２００の詳細な動作を示すフローチャートである。ルータ２００は、コネクタ管理テーブル２３１を確認し、次に接続を行うコネクタがルータ２００のＴＥＬコネクタ２１３であることを確認する（ステップＳ７０１）。ルータ２００は、「ルータのＴＥＬコネクタと電話機とを接続してください。」とメッセージを出力する（ステップＳ７０２）。
【００６６】
ルータ２００は、ＴＥＬコネクタ２１３にケーブルが接続された場合、ＴＥＬコネクタ２１３の接続が正しいか否かを判定する（ステップＳ７０３）。具体的には、ルータ２００は、ＴＥＬコネクタ２１３を介して入力される信号が、ＰＳＴＮ信号の周波数帯域であるか判定する。また、ルータ２００は、電話機５４０へテストコールを行う。ルータ２００は、ＴＥＬコネクタ２１３に入力された信号が０〜４ｋＨｚの周波数であるとともに、テストコールの応答が返ってきた場合に、ＴＥＬコネクタ２１３と電話機５４０とが正しく接続されたと判定する（ステップＳ７０３，Ｙｅｓ）。ルータ２００は、「ルータのＴＥＬコネクタと電話機との接続が完了しました」とメッセージを出力する（ステップＳ７０４）。ルータ２００は、メッセージ出力後に、コネクタ管理テーブル２３１のＴＥＬコネクタの接続状態を、未接続から接続に更新し（ステップＳ７０５）、ＴＥＬコネクタ接続ガイダンスを終了する。
【００６７】
ルータ２００は、誤った接続が行われたと判断した場合、「誤った接続を行っています」とメッセージを出力し（ステップＳ７０６）、ステップＳ７０２に戻る。
【００６８】
なお、上記と同様に、ルータ２００は、ユーザが誤って接続した接続先のコネクタを特定できる場合、誤って接続したコネクタをユーザに通知してもよい。例えば、ルータ２００のＴＥＬコネクタ２１３と、スプリッタ５１０のモデムコネクタ５１２またはＰＣ５２０とが接続された場合、ＴＥＬコネクタ２１３に入力される信号の周波数を検出して、接続先のコネクタを特定する。また、ルータ２００のＴＥＬコネクタ２１３とスプリッタ５１０のＴＥＬコネクタとが接続された場合は、０〜４ｋＨｚの周波数の信号を検出するとともに、ルータ２００のテストコールの応答が帰ってこないことによって、ＴＥＬコネクタ２１３の接続先を特定する。
【００６９】
また、ユーザが、図８に示すルータ２００の接続順序に従わないで接続を行った場合、ルータ２００は、接続順序に従わないで接続を行ったことをユーザに通知してもよい。また、ルータ２００は、図８に示すルータ２００の接続順序に従わないで接続を行った場合、接続順序を間違えた接続の正誤を判断してもよい。接続順序を間違えた接続が、誤った接続である場合、ルータ２００は、誤った接続であることを通知し、誤った接続を外すように通知する。接続順序を間違えた接続が、正しい接続である場合、ルータ２００は、接続が正しいことをユーザに通知する。その後、ルータ２００は、接続順序を間違えた接続のガイダンスをとばして、通常の接続ガイダンスを行えばよい。
【００７０】
このように、第２の実施形態に係るコネクタ機器は、コネクタ機器と複数の他のコネクタ機器とを接続する順序が予め指定されている場合、その順序に従ってガイダンスをすることが可能となる。これにより、ユーザは、コネクタ機器が複数のコネクタを備えていても、接続を誤ることなくコネクタ機器間の接続をすることが可能となる。
【００７１】
なお、図６に示した例では、ルータ２００が接続ガイダンス機能を有するとして説明を行ったが、スプリッタ５１０も接続ガイダンス機能を有してもよい。スプリッタ５１０が接続ガイダンスを行う場合、スプリッタ５１０の接続ガイダンスを行うコネクタの接続の順序は、図７に示すルータ２００のコネクタの接続順序と対応させることが望ましい。
【００７２】
ルータ２００とスプリッタ５１０との接続ガイダンスが対応する場合、スプリッタ５１０の接続順序は、以下のようになる。ルータ２００がＬＡＮコネクタ接続ガイダンス（ステップＳ３０２）を行う前の段階で、スプリッタ５１０は、ＬＩＮＥコネクタ５１１の接続ガイダンスを行う。ルータ２００がＡＤＳＬコネクタ接続ガイダンス（ステップＳ３０３）を行う場合、スプリッタ５１０は、モデムコネクタ５１２の接続ガイダンスを行う。ルータ２００がＬＩＮＥコネクタ接続ガイダンス（ステップＳ３０４）を行う場合、スプリッタ５１０は、ＴＥＬコネクタ５１３の接続ガイダンスを行う。このように、図８に示すルータ２００の接続順序と、スプリッタ５１０の接続ガイダンスを行う順序とを対応させることによって、ルータ２００が単独で接続ガイダンスを行う場合よりも、ユーザの誤接続を防ぐことが可能となる。
【００７３】
また、図８に示すフローチャートに従って接続ガイダンスを行っている時にユーザが誤って接続済みのコネクタを外してしまった場合、ルータ２００は、図４に示す処理を行えばよい。ただし、図４において、ルータ２００は、接続ガイダンス中である場合（ステップＳ２０４、Ｙｅｓ）の処理が、第１の実施形態と異なる。ルータ２００は、接続ガイダンス中である場合、接続が外れたコネクタの接続順序を確認する。接続が外れたコネクタの接続順序が、次にガイダンスを行うコネクタの接続順序より上位であれば、現在のコネクタのガイダンス終了後に、接続が外れたコネクタの接続ガイダンスを行う。一方、接続が外れたコネクタの接続順序が、次にガイダンスを行うコネクタの接続順序より下位であれば、接続ガイダンスをそのまま続行すればよい。
【００７４】
さらに、ルータ２００は、接続順序を指定した接続ガイダンスを行うものとして説明を行ったが、第１の実施形態のように、接続順序を指定しないガイダンスを行ってもよい。
【００７５】
（第１の具体例）
第２の実施形態では、ＶｏＩＰ−ＴＡ付きモデム内蔵ルータを例にして説明を行った。しかし、本発明に係るコネクタ機器は、ＶｏＩＰ−ＴＡ付きモデム内蔵ルータに限られない。本発明に係るコネクタ機器は、例えば、ＡＤＳＬモデムであってもよい。図１３は、ＡＤＳＬモデム３００とルータ５５０との接続状態を示す図である。ＡＤＳＬモデム３００は、ＴＥＬコネクタ３１１と、ＬＡＮコネクタ３１２とを備える。ＡＤＳＬモデム３００は、接続ガイダンス機能を備えているが、その構成の表示を省略している。ルータ５５０は、ＷＡＮコネクタ５５１と、第１のＬＡＮコネクタ５５２と、第２のＬＡＮコネクタ５５３とを備える。
【００７６】
ＡＤＳＬモデム３００において、ＴＥＬコネクタ３１１は、ＰＳＴＮ回線にモジュラージャック５３０を介して接続する。ＬＡＮコネクタ３１２は、ルータ５５０のＷＡＮコネクタ５５１と接続する。ルータ５５０において、第１のＬＡＮコネクタ５５２及び第２のＬＡＮコネクタ５５３は、ＰＣ（図示せず）に接続する。
【００７７】
なお、ＡＤＳＬモデム３００が行う接続ガイダンスは、第１の実施形態及び第２の実施形態で説明したガイダンスのどちらでもよい。このため、第１の具体例では、ＡＤＳＬモデム３００が用いる接続の正誤の判断基準のみを説明する。
【００７８】
ルータ５５０は、ＷＡＮコネクタ５５１に他の機器が接続された場合、ＷＡＮ側のＩＰアドレスを取得するため、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）  ＤｉｓｃｏｖｅｒパケットまたはＰＰＰ（Ｐｏｉｎｔ  ｔｏ  Ｐｏｉｎｔ  Ｐｒｏｔｏｃｏｌ）  ＬＣＰ（Ｌｉｎｋ  Ｃｏｎｔｒｏｌ  Ｐｒｏｔｏｃｏｌ）パケットを、ＷＡＮコネクタ５５１を介して送信する。
【００７９】
ＡＤＳＬモデム３００のＬＡＮコネクタ３１２と、ルータ５５０のＷＡＮコネクタ５５１とが接続された場合、ＡＤＳＬモデム３００は、ルータ５５０から送信されるＤＨＣＰ  ＤｉｓｃｏｖｅｒパケットまたはＰＰＰ  ＬＣＰパケットを検出して、ＡＤＳＬモデム３００のＬＡＮコネクタ３１２は正しい接続が行われたと判定する。
【００８０】
ルータ５５０は、第１のＬＡＮコネクタ５５２（第２のＬＡＮコネクタ５５３でもよい）に他の機器が接続された場合、ネットワーク上の機器の存在を確かめるＡＲＰ（Ａｄｄｒｅｓｓ  Ｒｅｓｏｌｕｔｉｏｎ  Ｐｒｏｔｏｃｏｌ）パケットまたはＩＣＭＰ（Ｉｎｔｅｒｎｅｔ  Ｃｏｎｔｒｏｌ  Ｍｅｓｓｅａｇｅ  Ｐｒｏｔｏｃｏｌ）パケットなどを、第１のＬＡＮコネクタ５５２を介して送信する。
【００８１】
ＡＤＳＬモデム３００のＬＡＮコネクタ３１２と、ルータ５５０の第１のＬＡＮコネクタ５５２とが接続された場合、ＡＤＳＬモデム３００は、ＡＲＰパケットまたはＩＣＭＰパケットを検出する。ＡＤＳＬモデム３００は、これらのパケットを受信した場合、ＬＡＮコネクタ３１２の接続が誤った接続であると判定する。
【００８２】
このように、本発明に係るコネクタ機器は、コネクタ機器の接続の正誤を判断する際に、コネクタ機器が送受信するパケットを用いることによって、接続の正誤を判定することができる。なお、接続の正誤の判断に用いることができるのであれば、パケットは、ＤＨＣＰ  Ｄｉｓｃｏｖｅｒパケット及びＰＰＰ  ＬＣＰパケットでなくてもよい。
【００８３】
（第２の具体例）
本発明に係るコネクタ機器は、ＶｏＩＰ−ＴＡ付きモデム内蔵ルータ、スプリッタ、及びＡＤＳＬモデムなどのネットワーク機器だけでなく、ＡＶ機器など、他の電気機器等に用いることも可能である。図１４は、テレビ４００と、ビデオ４１０と、アンテナ４２０との接続を示す図である。
【００８４】
テレビ４００は、地上波デジタル放送入力端子（以下、「デジタル入力端子」という）４０１と、ＶＨＦ（Ｖｅｒｙ  Ｈｉｇｈ  Ｆｒｅｑｕｅｎｃｙ）入力端子４０２と、ＢＳ（Ｂｒｏａｄｃａｓｔｉｎｇ  Ｓａｔｅｌｌｉｔｅ）／ＣＳ（Ｃｏｍｍｕｎｉｃａｔｉｏｎ  Ｓａｔｅｌｌｉｔｅ）入力端子４０３とを備える。ビデオ４１０は、ＶＨＦ／ＵＨＦ（Ｕｌｔｒａ  Ｈｉｇｈ  Ｆｒｅｑｕｅｎｃｙ）出力端子４１１と、ＢＳ／ＣＳ出力端子４１２と、ＶＨＦ／ＵＨＦ入力端子４１３と、ＢＳ／ＣＳ入力端子４１４とを備える。なお、テレビ４００及びビデオ４１０は、本発明に係るコネクタ機器の接続ガイダンス機能を備えているが、接続ガイダンス機能に関する構成の表示を省略している。アンテナ４２０は、ＶＨＦ／ＵＨＦアンテナ端子４２１と、ＢＳ／ＣＳ出力端子４２２とを備える。
【００８５】
テレビ４００のＶＨＦ入力端子４０２は、ビデオ４１０のＶＨＦ／ＵＨＦ出力端子４１１に接続する。テレビ４００のＢＳ／ＣＳ入力端子４０３は、ビデオ４１０のＢＳ／ＣＳ出力端子４１２に接続する。テレビ４００のデジタル入力端子４０１は、二分配プラグ４３０を介して、ＶＨＦ／ＵＨＦアンテナ端子４２１と接続する。ビデオ４１０のＶＨＦ／ＵＨＦ入力端子４１３は、二分配プラグ４３０を介して、ＶＨＦ／ＵＨＦアンテナ端子４２１と接続する。ビデオ４１０のＢＳ／ＣＳ入力端子４１４は、ＢＳ／ＣＳアンテナ端子と接続する。
【００８６】
なお、テレビ４００及びビデオ４１０が行う接続ガイダンスは、第１の実施形態及び第２の実施形態で説明したガイダンスのどちらでもよい。このため、第２の具体例では、テレビ４００及びビデオ４１０が用いる接続の正誤の判断基準のみを説明する。ただし、図１４に示す例では、ビデオ４１０とアンテナ４２０との接続を行った後で、ビデオ４１０とテレビ４００との接続を行うものとする。また、テレビ４００及びビデオ４１０の電源は、入っている状態とする。
【００８７】
テレビ４００及びビデオ４１０は、それぞれの入力端子に入力される信号の周波数を検出することによって、接続の正誤性を判断する。ＶＨＦ放送は、９０〜２２０ＭＨｚの周波数帯域（以下、「ＶＨＦ帯域」という）を使用する。ＵＨＦ放送は、４７０〜７７０ＭＨｚの周波数帯域（以下、「ＵＨＦ帯域」という）を使用する。ＢＳ／ＣＳ放送は、１１．７〜１２．７５ＧＨｚの周波数帯域（以下、「ＢＳ帯域」という）を使用する。
【００８８】
ビデオ４１０は、ＶＨＦ／ＵＨＦ入力端子４１３及びＢＳ／ＣＳ入力端子４１４に入力される信号の周波数をそれぞれ判定する。ビデオ４１０は、ＶＨＦ／ＵＨＦ入力端子４１３を介してＶＨＦ帯域の信号またはＵＨＦ帯域の信号が入力された場合、正しい接続が行われたと判断する。ビデオ４１０は、ＢＳ／ＣＳ入力端子４１４を介してＢＳ帯域の信号が入力された場合、正しい接続が行われたと判断する。ビデオ４１０は、接続ガイダンスの音声出力に代えて、図示しない液晶部分にメッセージを出力しても良い。
【００８９】
テレビ４００は、デジタル入力端子４０１、ＶＨＦ入力端子４０２、及びＢＳ／ＣＳ入力端子４０３から入力される信号の周波数をそれぞれ判定することによって、各入力端子の接続の正誤の判断を行う。テレビ４００は、デジタル入力端子４０１を介して、ＵＨＦ帯域の信号が入力された場合、正しい接続が行われたと判断する。テレビ４００は、ＶＨＦ入力端子４０２を介して、ＶＨＦ帯域の信号が入力された場合、正しい接続が行われたと判断する。テレビ４００は、ＢＳ／ＣＳ入力端子４０３を介して、ＢＳ帯域の信号が入力された場合、正しい接続が行われたと判断する。また、テレビ４００は、各入力端子に接続ケーブルが接続されても、各入力端子から信号が入力されない場合、ビデオ４１０とアンテナ４２０との接続を先に行うメッセージを出力してもよい。なお、テレビ４００は、接続ガイダンスを画面上に表示してもよい。
【産業上の利用可能性】
【００９０】
本発明に係る簡単設置接続ガイダンス機能を有したコネクタ機器は、コネクタ機器間の接続方法をガイダンスすることによって、誤接続を防止するとともに、接続の正誤を判定に応じて信号の処理をすることによって、コネクタ機器の破損を防ぐ効果を有し、複数の電気機器間の信号接続を中継するコネクタ機器として有用である。
【図面の簡単な説明】
【００９１】
【図１】本発明の第１の実施形態に係るコネクタ機器１０のブロック構成を示す図
【図２】接続ガイダンス部１３０が保持するコネクタ管理テーブル１３１の一例を示す図
【図３】コネクタ機器１０が行う接続ガイダンスの動作を示すフローチャート
【図４】接続済みのコネクタが抜けてしまった場合の、コネクタ機器１０の処理を示すフローチャート
【図５】第２の実施形態に係るコネクタ機器のコネクタ管理テーブル１３１の一例を示す図
【図６】ＶｏＩＰ−ＴＡ付きモデム内蔵ルータの接続図
【図７】ルータ２００の接続ガイダンス部が保持するコネクタ管理テーブル２３１の初期状態を示す図
【図８】ルータ２００が行う接続ガイダンスのメインフローチャート
【図９】ＬＡＮコネクタ接続ガイダンスのフローチャート
【図１０】ＡＤＳＬコネクタ接続ガイダンスのフローチャート
【図１１】ＬＩＮＥコネクタ接続ガイダンスのフローチャート
【図１２】ＴＥＬコネクタ接続ガイダンスのフローチャート
【図１３】ＡＤＳＬモデム３００とルータ５５０との接続図
【図１４】テレビ４００と、ビデオ４１０と、アンテナ４２０との接続図
【図１５】特許文献１に係る電子機器の構成例を示す図
【符号の説明】
【００９２】
１０  コネクタ機器
１１１、１１２、１１ｎ、２１１、２１２、２１３、２１４  コネクタ
１２１、１２２、１２ｎ  接続検出部
１３０、２３０  接続ガイダンス部
１３１、２３１  コネクタ管理テーブル
１４０  出力部
２００  ルータ
【図１】
2006178889.tif 000003
【図２】
2006178889.tif 000004
【図３】
2006178889.tif 000005
【図４】
2006178889.tif 000006
【図５】
2006178889.tif 000007
【図６】
2006178889.tif 000008
【図７】
2006178889.tif 000009
【図８】
2006178889.tif 000010
【図９】
2006178889.tif 000011
【図１０】
2006178889.tif 000012
【図１１】
2006178889.tif 000013
【図１２】
2006178889.tif 000014
【図１３】
2006178889.tif 000015
【図１４】
2006178889.tif 000016
【図１５】
2006178889.tif 000017